(57)【要約】【課題】排気効率を向上させてパネル騒音を改善するプラズマディスプレイパネルを提供する。【解決手段】本発明のプラズマディスプレイパネルは排気効率を向上させ、パネル騒音を改善するものであって、対向配置され、それらの間に複数の放電空間が形成される第１基板及び第２基板と、前記両基板の垂直方向に対向配置され、前記放電空間の側方に備えられ、第１方向に延長形成される表示電極と、前記表示電極と交差する第２方向に延長形成されるアドレス電極と、画像を実現する表示領域と、前記表示領域の外郭に備えられるダミーセル及びフリット領域と、を含み、前記フリット領域は、前記第１基板の周囲に備えられる第１フリットと、前記第２基板の周囲に備えられる第２フリットと、前記表示電極を覆い、前記第１フリットと前記第２フリットの間に備えられる誘電層と、前記表示電極から前記第１基板及び第２基板の一側周縁に引き出される電極端子と、を含む。【選択図】図４
2006286637.tif 000002
【特許請求の範囲】
【請求項１】
対向配置され、それらの間に複数の放電空間が形成される第１基板及び第２基板と、
前記両基板の垂直方向に対向配置され、前記放電空間の側方に備えられ、第１方向に延長形成される表示電極と、
前記表示電極と交差する第２方向に延長形成されるアドレス電極と、
画像を実現する表示領域と、前記表示領域の外郭に備えられるフリット領域と、を含み、
前記フリット領域は、
前記第１基板の周囲に備えられる第１フリットと、
前記第２基板の周囲に備えられる第２フリットと、
前記表示電極を覆い、前記第１フリットと前記第２フリットの間に備えられる誘電層と、
前記表示電極から前記第１基板及び第２基板の一側周縁に引き出される電極端子と、を含むことを特徴とするプラズマディスプレイパネル。
【請求項２】
前記第１フリットに前記電極端子が接着されることを特徴とする請求項１に記載のプラズマディスプレイパネル。
【請求項３】
前記第１フリット及び前記第２フリットに前記誘電層が接着されることを特徴とする請求項１に記載のプラズマディスプレイパネル。
【請求項４】
前記電極端子は、前記誘電層から前記第２基板と前記誘電層との間の空間に引き出されて形成されることを特徴とする請求項３に記載のプラズマディスプレイパネル。
【請求項５】
前記誘電層は誘電層シートを含むことを特徴とする請求項１に記載のプラズマディスプレイパネル。
【請求項６】
前記第２基板と前記誘電層シートとの間に前記第２フリットの厚さに相応する厚さを有する排気通路が形成されることを特徴とする請求項５に記載のプラズマディスプレイパネル。
【請求項７】
前記表示領域と前記フリット領域との間にダミーセル領域が形成され、前記排気通路は前記表示領域及び前記ダミーセル領域に形成されることを特徴とする請求項６に記載のプラズマディスプレイパネル。
【請求項８】
前記第２フリットは、前記アドレス電極の伸張方向に沿って所定間隔で配置されることを特徴とする請求項１に記載のプラズマディスプレイパネル。
【請求項９】
前記表示電極は、前記第１基板と第２基板の間で、前記放電空間の一側を囲む維持電極と、前記維持電極と両基板の垂直方向に離隔配置されて、前記放電空間の他側を囲む走査電極と、を含むことを特徴とする請求項１に記載のプラズマディスプレイパネル。
【請求項１０】
前記走査電極と前記アドレス電極との間の距離は、前記維持電極と前記アドレス電極との間の距離より短く形成されることを特徴とする請求項９に記載のプラズマディスプレイパネル。
【請求項１１】
前記放電空間に露出される誘電層の表面に保護膜がさらに形成されることを特徴とする請求項１に記載のプラズマディスプレイパネル。
【請求項１２】
前記保護膜は可視光非透過性保護膜で形成されることを特徴とする請求項１１に記載のプラズマディスプレイパネル。
【発明の詳細な説明】
【技術分野】
【０００１】
本発明はプラズマディスプレイパネルに関し、より詳しくは排気効率を向上させてパネル騒音を改善するプラズマディスプレイパネルに関するものである。
【背景技術】
【０００２】
プラズマディスプレイパネルには３電極沿面放電型がある。この３電極沿面放電型プラズマディスプレイパネルは維持電極と走査電極及びアドレス電極を備えている。維持電極と走査電極は前面基板の同一面上に平行に備えられる。アドレス電極は維持電極及び走査電極と交差する方向に背面基板に備えられる。この前面基板と背面基板との間、つまり、維持電極及び走査電極側とアドレス電極側の間に隔壁が備えられる。この隔壁は、平行に配置される維持電極及び走査電極がアドレス電極と交差する部分に放電セルを形成する。
【０００３】
この放電セルには放電空間が形成され、放電空間には放電ガスが充填されている。
【０００４】
このプラズマディスプレイパネルは走査電極のスキャンパルスとアドレス電極のアドレスパルスによるアドレス放電で点灯される放電セルを選択し、このように選択された放電セルの維持電極と走査電極に交互に印加される維持パルスによる維持放電で画像を実現する。走査電極とアドレス電極は各ライン別に独立制御される。
【０００５】
このプラズマディスプレイパネルの維持電極と走査電極は放電空間の前方に備えられる。したがって、維持電極と走査電極の間でプラズマ放電が発生し、このプラズマ放電は背面基板側に拡散される。このプラズマ放電は放電セル内の蛍光体を励起させて可視光を発生させる。前面基板に備えられる維持電極及び走査電極は放電セルの開口率を低減させ、放電セル内で発生して前面基板へ向かう可視光の透過率を低下させる。したがって、このようなプラズマディスプレイパネルは低い輝度及び低い発光効率を有する。
【０００６】
このプラズマディスプレイパネルを長時間使用する場合、放電ガスの荷電粒子が電界によって蛍光体にイオンスパッタリングを起こすため、永久残像を発生させる。
【０００７】
このような問題を解決するために開発されているプラズマディスプレイパネルは、背面基板と前面基板との間に維持電極と走査電極を放電空間の側面を囲む構造で備え、アドレス電極を背面基板に備える。したがって、放電空間の開口率が向上し、可視光の透過率を向上することができる。
【０００８】
このプラズマディスプレイパネルは背面基板と前面基板のダミーセル外郭にフリット領域を備えている。このフリット領域に塗布されたフリットは背面基板と前面基板を互いに封着する役割を果たす。つまり、背面基板のフリット領域に塗布されたフリットを基準に前面基板が背面基板上に位置合わせられて、背面基板と前面基板が互いに封着されている。
【０００９】
このプラズマディスプレイパネルは、維持電極と走査電極を囲みながら、放電空間を形成する誘電層シートと前面基板が互いに密着するために排気効率が低下する。また、前記誘電層シートと前面基板との不足した接着力によってパネル騒音が発生する問題がある。
【発明の開示】
【発明が解決しようとする課題】
【００１０】
そこで、本発明は前記のような問題点を解決するためのものであって、本発明の目的は、排気効率を向上させてパネル騒音を改善するプラズマディスプレイパネルを提供することにある。
【課題を解決するための手段】
【００１１】
本発明の一実施例によるプラズマディスプレイパネルは、対向配置され、それらの間に複数の放電空間が形成される第１基板及び第２基板と、前記両基板の垂直方向に対向配置され、前記放電空間の側方に備えられ、第１方向に延長形成される表示電極と、前記表示電極と交差する第２方向に延長形成されるアドレス電極と、画像を実現する表示領域と、前記表示領域の外郭に備えられるダミーセル及びフリット領域と、を含む。そして、前記フリット領域は、前記第１基板の周囲に備えられる第１フリットと、前記第２基板の周囲に備えられる第２フリットと、前記表示電極を覆い、前記第１フリットと前記第２フリットとの間に備えられる誘電層と、前記表示電極から前記第１基板及び第２基板の一側周縁に引き出される電極端子と、を含む。
【００１２】
前記第１フリットに前記電極端子が接着されてもよい。
【００１３】
前記第１フリット及び前記第２フリットに前記誘電層が接着されてもよい。
【００１４】
前記電極端子は、前記誘電層から前記第２基板と前記誘電層との間の空間に引き出されて形成することができる。
【００１５】
前記誘電層は誘電層シートを含むことができる。
【００１６】
前記第２基板と前記誘電層シートとの間に前記第２フリットの厚さに相応する厚さを有する排気通路が形成されてもよい。
【００１７】
前記排気通路は前記表示領域及び前記ダミーセル領域に形成することができる。
【００１８】
前記第２フリットは前記アドレス電極の伸張方向に沿って所定間隔で配置できる。
【００１９】
前記表示電極は前記第１基板と第２基板との間で、前記放電空間の一側を囲む維持電極と、前記維持電極と両基板の垂直方向に離隔配置されて、前記放電空間の他側を囲む走査電極を含むことができる。
【００２０】
前記走査電極と前記アドレス電極との間の距離は、前記維持電極と前記アドレス電極との間の距離より短く形成することができる。
【００２１】
前記放電空間に露出される誘電層の表面に保護膜をさらに形成することができる。
【００２２】
前記保護膜は可視光非透過性保護膜で形成することができる。
【発明の効果】
【００２３】
本発明によるプラズマディスプレイパネルは、表示領域とダミーセル及びフリット領域を備える。そして、このフリット領域は、背面基板に備えられる第１フリットと、前面基板に備えられる第２フリットと、表示電極から引き出される電極端子と、誘電層シートと、を含む。この誘電層シート及び電極端子は、第１フリットに接着され、第２フリットで誘電層シートと前面基板を互いに接着する。したがって、第２フリットのない表示領域及びダミーセルには誘電層シートと前面基板との間に排気通路が形成される。その結果、前面基板と背面基板を封着した後、排気時に排気効率が向上する。また、第２フリットはフリット領域で誘電層シートと前面基板の接着力を強化させてパネル騒音を改善する効果がある。
【発明を実施するための最良の形態】
【００２４】
以下、添付した図面を参照して本発明の実施例について本発明が属する技術分野における通常の知識を有する者が容易に実施できるように詳しく説明する。しかし、本発明は多様で相異なる形態で実現することができ、ここで説明する実施例に限られない。図面で本発明を明確に説明するために説明上不必要な部分は省略しており、明細書全体にわたって同一或いは類似な構成要素については同一参照符号を付けた。
【００２５】
図１は本発明の第１実施例によるプラズマディスプレイパネルの平面図であり、図２は本発明の第１実施例によるプラズマディスプレイパネルの部分分解斜視図であり、図３は図２のプラズマディスプレイパネルを組み立ててＩＩＩ−ＩＩＩ線に沿って切断した部分断面図である。
【００２６】
これら図面を参照してプラズマディスプレイパネルを説明すれば、本発明のプラズマディスプレイパネルは基本的に所定の間隔で対向配置される第１基板１０（以下、‘背面基板'と言う）と第２基板２０（以下、‘前面基板'と言う）及びこの背面基板１０と前面基板２０との間に備えられる隔壁層１６を含む。
【００２７】
この隔壁層１６は背面基板１０と前面基板２０との間で多数の放電セル１８を区画し、この放電セル１８には放電空間１７が形成される。この隔壁層１６は本実施例のように背面基板１０に形成されてもよく、前面基板２０に形成されてもよい。また、図示していないが、隔壁層１６は両基板に分離或いは一体に形成することができる。
【００２８】
この隔壁層１６は放電空間１７の平面（ｘ-ｙ平面）模様を四角形、六角形及び八角形のような多角形或いは円形や楕円形に形成することができる。本実施例では四角形筒構造の放電空間１７が例示されている。
【００２９】
この放電空間１７には真空紫外線を吸収して可視光を放出する蛍光体層１９が備えられ、プラズマ放電で真空紫外線を発生させられるように放電ガス（例えば、ネオン（Ｎｅ）とキセノン（Ｘｅ）等を含む混合ガス）が充填されている。
【００３０】
この蛍光体層１９は、隔壁層１６によって形成される放電空間１７の内面と、この放電空間１７を形成する前面基板２０と背面基板１０の一側或いは両側に形成することができる。図面に示しているように、この蛍光体層１９が背面基板１０に形成される場合、この蛍光体層１９は放電空間１７内部で真空紫外線を吸収して前面基板２０側に可視光を反射させる反射型蛍光体で形成される。
【００３１】
また、蛍光体層が前面基板２０に形成される場合（図示せず）、この蛍光体層は放電空間１７内部で真空紫外線を吸収して可視光を透過させる透過型蛍光体で形成される。また、蛍光体層１９は前面基板２０と背面基板１０の全てに形成され得る。
【００３２】
本発明のプラズマディスプレイパネルは蛍光体層１９に衝突される真空紫外線をプラズマ放電で生成して画像を実現するために、各放電空間１７に対応するアドレス電極１１と表示電極を背面基板１０と前面基板２０との間に備える。この表示電極は両基板の垂直方向に対向しながら、放電空間１７の側方に備えられる維持電極３１と走査電極３２を含む。この維持電極３１と走査電極３２は第１方向（図面のｘ軸方向）に延長形成される。具体的に、維持電極３１は放電空間１７で両基板の垂直方向（ｚ軸方向）の一側を囲んでおり、第１方向に連結される。走査電極３２はこの維持電極３１及びアドレス電極１１と前記垂直方向（ｚ軸方向）に離隔配置されて放電空間１７の他側を囲んでおり、第１方向に連結される。
【００３３】
このアドレス電極１１は維持電極３１及び走査電極３２と共に別途の電極層で形成されて、両基板１０、２０の間に備えられてもよい（図示せず）。また、図示しているように、維持電極３１と走査電極３２を別途の電極層３０に形成して、この電極層３０を両基板１０、２０の間に備えられてもよい。この場合、前記アドレス電極１１は前面基板２０や背面基板１０に形成することができる。
【００３４】
本実施例ではアドレス電極１１が背面基板１０に備えられ、この背面基板１０側に隔壁層１６が備えられる。維持電極３１と走査電極３２は別途の電極層３０で形成して隔壁層１６と前面基板２０との間に備えられる。もちろん、維持電極３１と走査電極３２は隔壁層に直接形成することもできる（図示せず）。この場合、電極層は放電空間１７を形成する隔壁層の役割まで果たす。
【００３５】
前記アドレス電極１１は、図示しているように、背面基板１０の内表面に第２方向（図面のｙ軸方向）に沿って長く形成されて第２方向に隣接する放電空間１７に連続的に対応する。そして多数のアドレス電極１１は第２方向（図面のｙ軸方向）と交差する第１方向（図面のｘ軸方向）に沿って隣接する放電空間１７に各々対応して一定の間隔を維持しながら、互いに平行に配置される。
【００３６】
このアドレス電極１１は前記のように背面基板１０の内表面に形成されて誘電層１３で覆われてもよい。この誘電層１３は放電時に陽イオン或いは電子がアドレス電極１１に直接衝突することを防止してアドレス電極１１の損傷を防止する。また、誘電体に形成された誘電層１３上には壁電荷が蓄積される。この誘電層１３が備えられる場合、前記蛍光体層１９は放電空間１７の内周面と、この内周面内に位置する誘電層１３表面に形成される。
【００３７】
また、アドレス電極１１は、示されているように、可視光が透過しない背面基板１０に形成される場合、通電性に優れた金属電極で形成することができる。
【００３８】
このアドレス電極１１はこれに印加されるアドレスパルスと走査電極３２に印加されるスキャンパルスによって一つの放電空間１７をアドレシングするように走査電極３２及び維持電極３１と交差する方向に長く形成される。また、アドレス電極１１は両基板１０、２０の垂直方向（ｚ軸方向）に維持電極３１及び走査電極３２と互いに離隔配置される。
【００３９】
この維持電極３１と走査電極３２はアドレス放電で選択された放電空間１７に各々交互に印加される維持パルスによって維持放電を起こして画像を実現する。このために維持電極３１と走査電極３２は電極層３０内で両基板１０、２０の垂直方向（ｚ軸方向）に互いに離隔配置され、互いに対称構造で形成されることが好ましい。
【００４０】
一方、前記アドレス電極１１、維持電極３１及び走査電極３２は、これらに印加される信号電圧によってその役割を互いに異ならせることができるので、前記電極と電圧信号の関係は前記電極に前記電圧信号が印加される関係に限られない。
【００４１】
本実施例は、アドレス電極１１が背面基板１０に備えられ、隔壁層１６がアドレス電極１１上に備えられる。そして、維持電極３１と走査電極３２は電極層３０内に形成され、この電極層３０は隔壁層１６と前面基板１０との間に備えられる。この電極層３０内で維持電極３１は前面基板２０側に備えられ、走査電極３２は隔壁層１６側に備えられる。つまり、走査電極３２とアドレス電極１１の間の距離Ｄ１は維持電極３１とアドレス電極１１の間の距離Ｄ２より短く形成される。その結果、走査電極３２はアドレス電極１１と短い放電ギャップを形成するので、低電圧によるアドレス放電を可能にする。
【００４２】
維持電極３１は背面基板１０と前面基板２０との間で、前記両基板の垂直方向（ｚ軸方向）に放電空間１７の一側を囲む構造で形成される。
【００４３】
走査電極３２は維持電極３１と互いに離隔配置されながら、背面基板１０と前面基板２０の間で両基板の垂直方向（ｚ軸方向）に放電空間１７の他側を囲む構造で形成される。
【００４４】
この維持電極３１と走査電極３２は図３に示されているように、両基板１０、２０に垂直する方向（ｚ軸方向）に対称構造をなす。したがって、維持電極３１と走査電極３２の間で発生する維持放電は、放電空間１７内で垂直方向（ｚ軸方向）に形成される。そして、維持電極３１と走査電極３２に印加される電圧によって形成される電界を放電空間１７の中心に集中させる。その結果、発光効率は向上され、長時間の放電時にも放電によって生成されるイオンは電界によって蛍光体層１９に衝突しない。したがって、イオンスパッタリングによる蛍光体層１９の損傷が防止される。
【００４５】
また、維持電極３１と走査電極３２の各々が放電空間１７を囲む構造を形成するので、放電空間１７内に垂直方向に形成される維持放電は放電空間１７の内周面全体で一層均一に形成されることができる。
【００４６】
また、維持電極３１と走査電極３２は別途の電極層３０を備えて放電空間１７の側方に備えられる。したがって、維持電極３１及び走査電極３２は可視光を遮断しなくなって、通電性に優れた金属電極で形成することができる。
【００４７】
この維持電極３１と走査電極３２は誘電層で覆われて相互絶縁構造を形成する。本実施例で誘電層は誘電層シート３４を含む。この維持電極３１と走査電極３２及びこれを覆っている誘電層シート３４が電極層３０を形成する。この誘電層シート３４は放電時に壁電荷を蓄積することもあるが、各電極の絶縁構造を形成する。維持電極３１と走査電極３２の外面に形成される誘電層シート３４は隔壁層１６の構造に対応する四角形に放電空間１７を形成することが好ましい。この維持電極３１と走査電極３２及び誘電層シート３４はＴＦＣＳ（Ｔｈｉｃｋ Ｆｉｌｍ Ｃｅｒａｍｉｃ Ｓｈｅｅｔ）法で製作することが可能である。
【００４８】
この誘電層シート３４が隔壁層１６と共に放電空間１７を形成するので、誘電層シート３４は放電空間１７の内側面に保護膜３６で覆われることが好ましい。特に保護膜３６は放電空間１７で起こるプラズマ放電に露出される部分に形成することができ、この保護膜３６が誘電層シート３４を保護して高い二次電子放出係数を要求するが、可視光の透過性を持つ必要はない。つまり、維持電極３１と走査電極３２が前面基板２０及び背面基板１０に形成されるわけではなく、両基板１０、２０の間に備えられるので、これら維持電極３１と走査電極３２を覆っている誘電層シート３４に塗布される保護膜３６は可視光非透過性の特性を有する物質からなることができる。この保護膜３６の一例として、可視光非透過性ＭｇＯは可視光透過性ＭｇＯに比べて非常に高い二次電子放出係数値を有し、したがって、放電開始電圧をさらに下げることができる。
【００４９】
図４は図２のプラズマディスプレイパネルを組み立ててＩＶ−ＩＶ線に沿って切断した部分断面図である。
【００５０】
図４に示されているように、本実施例によるプラズマディスプレイパネルは、画像を実現する表示領域Ａｄ、ダミーセルＣｄ及びフリット領域Ａｆを備える。
【００５１】
表示領域Ａｄは前記のように構成されてアドレス放電及び維持放電を起こせるように構成される。
【００５２】
ダミーセルＣｄは表示領域Ａｄの外郭に形成されて蛍光体層１９を備えないので、可視光を発生させない。
【００５３】
フリット領域Ａｆは背面基板１０と前面基板２０を互いに封着する領域である。このフリット領域Ａｆは第１フリット４１、第２フリット４２、誘電層シート３４及び電極端子３１２を含む。第１フリット４１は背面基板１０の周囲に備えられ、第２フリット４２は前面基板２０の周囲に備えられる。誘電層シート３４は表示電極を覆いながら、第１フリット４１と第２フリット４２の間に配置される。電極端子３１２は表示電極から前面基板２０及び背面基板１０の一側周縁に引き出されて形成される。この電極端子３１２は図１の電極端子部３１１に連結されて維持電極３１に維持パルスが印加される。
【００５４】
図示していないが、前記電極端子３１２の反対側には維持電極３１と同様に第１、第２フリット４１、４２及び走査電極３２の電極端子と前記誘電層シートが前記と同様な構造で備えられる。この走査電極３２の電極端子（図示せず）は維持電極３１の電極端子部３１１の反対側に位置する電極端子部３２１に連結される。その結果、維持パルス或いはスキャンパルスが走査電極３２に印加される。
【００５５】
第１フリット４１は、図１に示されているように背面基板１０の周囲に沿って付着して備えられる。電極端子３１２は維持電極３１からフリット領域Ａｆまで引き出され、この電極端子３１２は第１フリット４１に接着される（図４参照）。この維持電極３１と同様に走査電極３２から引き出される電極端子は維持電極３１の電極端子３１２反対側に引き出されて第１フリット４１に接着される（図示せず）。
【００５６】
第２フリット４２はフリット領域Ａｆの前面基板１０の内表面に付着して備えられる。この第２フリット４２は相当な厚さｔを有して誘電層シート３４と前面基板２０の間に介される。
【００５７】
これによって、前面基板２０と背面基板１０が互いに位置合わせられて積層及び付着されれば、第１フリット４１と第２フリット４２の間に電極端子３１２と誘電層シート３４が介され、互いに接着される。
【００５８】
このように、第１フリット４１が背面基板１０側に備えられ、第２フリット４２が前面基板２０側に備えられて、前面基板２０に電極端子３１２と誘電層シート３４を付着することができる。その結果、前面基板２０と背面基板１０との付着力が強化される。また、前面基板２０と背面基板１０の振動が低減され、パネル騒音が低減される。
【００５９】
また、前面基板２０と誘電層シート３４との間には排気通路４３が形成される。さらに具体的に、排気通路４３は表示領域Ａｄ及びダミーセル領域Ｃｄに形成され、この排気通路４３は第２フリット４２のｚ軸方向への厚さｔに相応する大きさを有する。つまり、排気通路４３の円滑な形成のために、第２フリット４２はアドレス電極１１と交差する方向（ｘ軸方向）に伸張形成される。そして、第２フリット４２はアドレス電極１１の伸張方向（ｙ軸方向）に所定間隔で配列される。
【００６０】
したがって、第２フリット４２によって形成される排気通路４３は第２フリット４２の厚さｔに相応する大きさを有する。このように排気通路４３が形成されることによって、前面基板２０と背面基板１０の封着後、排気時に放電空間１７内に残留する空気の排気ｅｘ効率が向上することができる。
【００６１】
図５は本発明の第２実施例によるプラズマディスプレイパネルの部分断面図である。
【００６２】
図５に示しているように、本実施例は第１実施例と異なって第１フリット２４１が電極端子３１４と直接接着しないように構成される。つまり、電極端子３１４は誘電層シート２３４から前面基板２０と誘電層シート２３４の間の空間に引き出されて形成される。具体的に、誘電層シート２３４は第１フリット２４１及び第２フリット２４２に直接接着し、電極端子３１４は第１フリット２１４と直接接着しなくなる。このような構成によって誘電層シート２３４が前面基板２０及び背面基板１０に接着して、接着力が強化され、パネル騒音を減少させることができる。
【００６３】
以上、本発明の好ましい実施例について説明したが、本発明はこれに限定されず、特許請求の範囲と発明の詳細な説明及び添付した図面の範囲内で多様に変形または変更して実施することが可能であり、これもまた本発明の範囲に属することは当然である。
【図面の簡単な説明】
【００６４】
【図１】本発明の第１実施例及び第２実施例によるプラズマディスプレイパネルの平面図である。
【図２】本発明の第１実施例によるプラズマディスプレイパネルの部分分解斜視図である。
【図３】図２のプラズマディスプレイパネルを組み立ててＩＩＩ−ＩＩＩ線に沿って切断した部分断面図である。
【図４】図２のプラズマディスプレイパネルを組み立ててＩＶ−ＩＶ線に沿って切断した部分断面図である。
【図５】本発明の第２実施例によるプラズマディスプレイパネルの部分断面図である。
【符号の説明】
【００６５】
１０  第１基板（背面基板）
１１  アドレス電極
１３  誘電層
１６  隔壁層
１７  放電空間
１８  放電セル
１９  蛍光体層
２０  第２基板（前面基板）
３０  電極層
３１  維持電極
３２  走査電極
３４、２３４  誘電層シート
３６  保護膜
４１、２４１  第１フリット
４２、２４２  第２フリット
３１４  電極端子
Ａｄ  表示領域
Ａｆ  フリット領域
Ｃｄ  ダミーセル
【図１】
2006286637.tif 000003
【図２】
2006286637.tif 000004
【図３】
2006286637.tif 000005
【図４】
2006286637.tif 000006
【図５】
2006286637.tif 000007